(57)【要約】【課題】コネクタ保持部材と筐体との間の封止を向上させることができる電子制御装置を得る。【解決手段】電子回路基板２と、電子回路基板２に設けられたコネクタ４と、電子回路基板２が収納され、コネクタ４が挿入される開口部６３が形成された筐体６と、コネクタ４に設けられ、コネクタ４とともに開口部６３を塞ぐコネクタ保持部材５と、コネクタ保持部材５と筐体６との間を封止するシール部材７とを備え、筐体６は、傾斜部６１３を有し、傾斜部６１３には、開口部６３に対向する凹部６１２が形成され、コネクタ保持部材５は、保持部材本体５１と、保持部材本体５１に設けられ、凹部６１２に嵌められる凸部５２とを有し、シール部材７は、凹部６１２と凸部５２とを接着する接着剤を有し、傾斜部６１３は、凹部６１２に設けられた接着剤が傾斜面に沿って垂れることを抑制する段差部６４を有している。【選択図】図６
2018074097.tif 000002
【特許請求の範囲】
【請求項１】
電子回路基板と、
前記電子回路基板に設けられたコネクタと、
前記電子回路基板が収納され、前記コネクタが挿入される開口部が形成された筐体と、
前記コネクタに設けられ、前記コネクタとともに前記開口部を塞ぐコネクタ保持部材と、
前記コネクタ保持部材と前記筐体との間を封止するシール部材と
を備え、
前記筐体は、水平面に対して傾斜する傾斜面に沿った傾斜部を有し、
前記傾斜部には、前記開口部に対向する凹部が形成され、
前記コネクタ保持部材は、前記コネクタの周囲に設けられる保持部材本体と、前記保持部材本体に設けられ、前記凹部に嵌められる凸部とを有し、
前記シール部材は、前記凹部と前記凸部とを接着する接着剤を有し、
前記傾斜部は、前記凹部に設けられた前記接着剤が前記傾斜面に沿って垂れることを抑制する段差部を有している電子制御装置。
【請求項２】
前記段差部には、前記凹部と前記凸部との間に設けられた前記接着剤から脱泡する欠損部が形成されている請求項１に記載の電子制御装置。
【請求項３】
前記段差部は、水平面に沿った踏面と、前記踏面に対して傾斜する蹴上面とを含んでいる請求項１または請求項２に記載の電子制御装置。
【請求項４】
前記踏面には、前記接着剤が溜められる溜まり部が形成されている請求項３に記載の電子制御装置。
【請求項５】
前記蹴上面は、前記凸部に沿って配置されている請求項３または請求項４に記載の電子制御装置。
【請求項６】
前記段差部は、前記凹部の幅方向端部に設けられ前記開口部に対向する端面を含んでいる請求項３から請求項５までの何れか一項に記載の電子制御装置。
【請求項７】
前記踏面と前記蹴上面との間の角度は、９０度未満である請求項３から請求項６までの何れか一項に記載の電子制御装置。
【請求項８】
前記踏面には、凹凸が形成されている請求項３から請求項７までの何れか一項に記載の電子制御装置。
【発明の詳細な説明】
【技術分野】
【０００１】
この発明は、コネクタが設けられた電子回路基板が筐体の内側に収納された電子制御装置に関する。
【背景技術】
【０００２】
従来、電子回路基板と、電子回路基板に設けられたコネクタと、電子回路基板が収納され、コネクタが挿入される開口部が形成された筐体と、コネクタに設けられ、コネクタとともに筐体の開口部を塞ぐコネクタ保持部材と、コネクタ保持部材と筐体と間を封止するシール部材とを備え、筐体の内壁面には、開口部に対向する凹部が形成され、コネクタ保持部材には、コネクタの周囲に設けられる保持部材本体と、保持部材本体に設けられ、筐体の凹部に嵌められる凸部とを有し、シール部材は、凹部と凸部とを接着する接着剤を有している電子制御装置が知られている（例えば、特許文献１参照）。
【先行技術文献】
【特許文献】
【０００３】
【特許文献１】特開２０１４−４５２１３号公報
【発明の概要】
【発明が解決しようとする課題】
【０００４】
しかしながら、筐体は、水平面に対して傾斜する傾斜面に沿った傾斜部を有し、凹部は傾斜部に形成されているので、凹部に塗布された接着剤が、凸部が凹部に嵌められる工程またはその後に接着剤が硬化する工程において流出してしまい、シール部材を用いたコネクタ保持部材と筐体との間の封止が不十分となってしまうという課題があった。
【０００５】
この発明は、上述のような課題を解決するためになされたもので、コネクタ保持部材と筐体との間の封止を向上させることができる電子制御装置を提供するものである。
【課題を解決するための手段】
【０００６】
この発明に係る電子制御装置は、電子回路基板と、電子回路基板に設けられたコネクタと、電子回路基板が収納され、コネクタが挿入される開口部が形成された筐体と、コネクタに設けられ、コネクタとともに開口部を塞ぐコネクタ保持部材と、コネクタ保持部材と筐体との間を封止するシール部材とを備え、筐体は、水平面に対して傾斜する傾斜面に沿った傾斜部を有し、傾斜部には、開口部に対向する凹部が形成され、コネクタ保持部材は、コネクタの周囲に設けられる保持部材本体と、保持部材本体に設けられ、凹部に嵌められる凸部とを有し、シール部材は、凹部と凸部とを接着する接着剤を有し、傾斜部は、凹部に設けられた接着剤が傾斜面に沿って垂れることを抑制する段差部を有している。
【発明の効果】
【０００７】
この発明に係る電子制御装置によれば、傾斜部は、凹部に設けられた接着剤が傾斜面に沿って垂れることを抑制する段差部を有しているので、凹部に塗布された接着剤が、凸部が凹部に嵌められる工程またはその後に接着剤が硬化する工程において流出することを抑制することができる。その結果、コネクタ保持部材と筐体との間の封止を向上させることができる。
【図面の簡単な説明】
【０００８】
【図１】この発明の実施の形態１に係る電子制御装置を示す斜視図である。
【図２】図１の電子制御装置を示す分解斜視図である。
【図３】図１の電子制御装置を示す断面図である。
【図４】図２のコネクタ保持部材とカバーを示す断面図である。
【図５】図２のカバーとコネクタ保持部材との間の接合部分を示す平面図である。
【図６】図５のカバーの凹部を示す断面図である。
【図７】図６の凹部を示す側面図である。
【図８】この発明の実施の形態２に係る電子制御装置におけるカバーとコネクタ保持部材との間の接合部分を示す平面図である。
【図９】図８のカバーの凹部を示す断面図である。
【図１０】図９の凹部を示す側面図である。
【図１１】この発明の実施の形態３に係る電子制御装置における凹部を示す断面図である。
【図１２】この発明の実施の形態４に係る電子制御装置におけるカバーとコネクタ保持部材との間の接合部分を示す平面図である。
【図１３】図１２のカバーの凹部を示す斜視図である。
【図１４】図１３の凹部を示す部分断面図である。
【図１５】この発明の実施の形態５に係る電子制御装置におけるカバーの凹部を示す断面図である。
【図１６】この発明の実施の形態６に係る電子制御装置におけるカバーの凹部を示す断面図である。
【図１７】図１６のカバーの凹部の要部を示す拡大図である。
【発明を実施するための形態】
【０００９】
以下、この発明の各実施の形態に係る電子制御装置について図に基づいて説明するが、各図において、同一または相当の部材または部位については同一符号を付して説明する。
【００１０】
実施の形態１．
図１はこの発明の実施の形態１に係る電子制御装置を示す斜視図、図２は図１の電子制御装置を示す分解斜視図、図３は図１の電子制御装置を示す断面図である。この発明の実施の形態１に係る電子制御装置１は、エンジンルームのエンジンに搭載される。電子制御装置１は、電子回路基板２と、電子回路基板２に実装された複数の電子部品３と、電子回路基板２の端部に実装されたコネクタ４と、コネクタ４に取り付けられたコネクタ保持部材５と、電子回路基板２および電子部品３が収納された筐体６とを備えている。
【００１１】
筐体６は、電子回路基板２および電子部品３を下方から覆うカバー６１と、電子回路基板２を上方から覆うベース６２とを有している。筐体６には、コネクタ４が挿入される開口部６３が形成されている。開口部６３は、台形形状に形成されている。カバー６１は、例えば、ＰＢＴ（ｐｏｌｙｂｕｔｙｌｅｎｅ  ｔｅｒｅｐｈｔｈａｌａｔｅ）樹脂から構成されている。なお、カバー６１は、ＰＢＴ樹脂に限らずその他の材料から構成されてもよい。ベース６２は、例えば、アルミニウム、ステンレス鋼、ＰＢＴ樹脂などから構成されている。なお、ベース６２は、これらに限らずその他の材料から構成されてもよい。
【００１２】
カバー６１における周縁部であって、ベース６２に対向する面には、凹部６１１が形成されている。カバー６１におけるコネクタ保持部材５に対向する面にも、凹部６１２が形成されている。ベース６２は、ベース本体６２１と、ベース本体６２１におけるカバー６１およびコネクタ保持部材５に対向する面に形成された凸部６２２とを有している。
【００１３】
電子回路基板２には、コネクタ４の端子４１が電気的に接続されている。コネクタ４は、図示しない入出力装置と電気的に接続される。
【００１４】
コネクタ保持部材５は、コネクタ４とともに開口部６３を塞いでいる。コネクタ４は、コネクタ保持部材５を介して筐体６に取り付けられている。コネクタ保持部材５は、台形形状に形成された保持部材本体５１と、保持部材本体５１に設けられ、保持部材本体５１から幅方向外側に突出する凸部５２と、保持部材本体５１から下方に突出する凸部５３とを有している。保持部材本体５１は、水平面に対して傾斜する傾斜面に沿った傾斜面５４と、ベース６２に対向する平面５５とを有している。平面５５には、凹部５６が形成されている。凸部５２は、傾斜面５４に配置されている。凸部５２は、傾斜面５４における高さ方向全領域に渡って配置されている。
【００１５】
凹部６１１および凹部５６には、凸部６２２が嵌められている。
【００１６】
図４は図２のコネクタ保持部材５とカバー６１を示す断面図である。カバー６１は、水平面に対して傾斜する傾斜面に沿った傾斜部６１３を有している。傾斜部６１３は、コネクタ保持部材５の傾斜面５４に対向して配置されている。凹部６１２は、傾斜部６１３に配置されている。傾斜部６１３の凹部６１２には、コネクタ保持部材５の凸部５２が嵌められている。
【００１７】
図２に示すように、電子制御装置１は、カバー６１とベース６２との間を封止し、コネクタ保持部材５と筐体６とを封止するシール部材７をさらに備えている。シール部材７は、カバー６１の凹部６１１とベース６２の凸部６２２とを接着し、コネクタ保持部材５の凹部５６とベース６２の凸部６２２とを接着し、カバー６１の凹部６１２とコネクタ保持部材５の凸部５２と、カバー６１の凹部６１２とコネクタ保持部材５の凸部５３とを接着する接着剤を有している。接着剤としては、例えば、シリコーン接着剤、ポリウレタン系接着剤などが挙げられる。接着剤は、重力で流れ落ちる程度の粘性と流動性を有している。
【００１８】
接着剤を用いたコネクタ保持部材５と筐体６との接着構造は、特に、シリコーン接着剤をはじめとした、重力で凹部６１２から垂れ落ちる程度の粘性および流動性を有し、ある程度の厚みを持って凹部６１２に滞留することにより封止性を発揮する種類のシール部材７において高い効果を発揮する。
【００１９】
図５は図２のカバー６１とコネクタ保持部材５との間の接合部分を示す平面図、図６は図５のカバー６１の凹部６１２を示す断面図、図７は図６の凹部６１２を示す側面図である。図６の矢印は、シール部材７の接着剤が流れ落ちる方向を示している。図７では凹部６１２を正面から視た状態を示している。傾斜部６１３は、コネクタ保持部材５に対向する斜面６１４と、斜面６１４に設けられた複数の段差部６４を有している。斜面６１４および段差部６４は、凹部６１２に形成されている。
【００２０】
段差部６４は、水平面に沿った踏面６４１と、水平面に対して傾斜する蹴上面６４２とを含んでいる。この例では、蹴上面６４２は、鉛直方向に延びて配置されている。言い換えれば、踏面６４１と蹴上面６４２との間の角度は、９０度となっている。
【００２１】
段差部６４には、欠損部６４３が形成されている。欠損部６４３は、凹部６１２の長手方向についての全領域に渡って配置されている。欠損部６４３は、斜面６１４と繋がって配置されている。欠損部６４３は、凹部６１２と凸部５２との間に設けられたシール部材７の接着剤から脱泡する。
【００２２】
以上説明したように、この発明の電子制御装置１によれば、電子回路基板２と、電子回路基板２に設けられたコネクタ４と、電子回路基板２が収納され、コネクタ４が挿入される開口部６３が形成された筐体６と、コネクタ４に設けられ、コネクタ４とともに開口部６３を塞ぐコネクタ保持部材５と、コネクタ保持部材５と筐体６との間を封止するシール部材７とを備え、筐体６は、傾斜部６１３を有し、傾斜部６１３には、開口部６３に対向する凹部６１２が形成され、コネクタ保持部材５は、コネクタ４の周囲に設けられる保持部材本体５１と、保持部材本体５１に設けられ、凹部６１２に嵌められる凸部５２とを有し、シール部材７は、凹部６１２と凸部５２とを接着する接着剤を有し、傾斜部６１３は、凹部６１２に設けられた接着剤が傾斜面に沿って垂れることを抑制する段差部６４を有しているので、接着剤を段差部６４に保持させることができる。これにより、接着剤が垂れることが抑制されるので、コネクタ保持部材５と筐体６との間の接着性を向上させることができる。その結果、コネクタ保持部材５と筐体６との間の封止を向上させることができる。
【００２３】
また、傾斜部６１３は、凹部６１２に設けられた接着剤が傾斜面に沿って垂れることを抑制する段差部６４を有しているので、凹部６１２に接着剤を塗布する際に、接着剤が垂れることが抑制されるので、組立時間を従来よりも長くとることができ。その結果、電子制御装置１の組立性を向上させることができる。
【００２４】
また、段差部６４には、凹部６１２と凸部５２との間に設けられたシール部材７の接着剤から脱泡する欠損部６４３が形成されているので、接着剤を斜面６１４に塗布する際に、接着剤の気泡が欠損部６４３に沿って脱泡される。その結果、コネクタ保持部材５と筐体６との間の封止をより向上させることができる。
【００２５】
段差部６４は、水平面に沿った踏面６４１と、踏面６４１に対して傾斜する蹴上面６４２とを含んでいるので、段差部６４を成形するための金型を上型および下型のみで構成することができる。その結果、従来機種の金型構造を大きく変更することなく、コネクタ保持部材５と筐体６との間の封止を向上させることができる。
【００２６】
実施の形態２．
図８はこの発明の実施の形態２に係る電子制御装置におけるカバーとコネクタ保持部材との間の接合部分を示す平面図、図９は図８のカバーの凹部を示す断面図、図１０は図９の凹部を示す側面図である。図９では凹部６１２を正面から視た状態を示している。
【００２７】
実施の形態２では、欠損部６４３は、段差部６４の幅方向中央ではなく、幅方向端部に配置されている。また、凹部６１２の長手方向に隣り合う一対の欠損部６４３は、幅方向について互いに反対側に配置されている。言い換えれば、凹部６１２の長手方向に隣り合う一対の欠損部６４３の中の一方は、幅方向一端部に配置され、他方は、幅方向他端部に配置されている。その他の構成は、実施の形態１と同様である。
【００２８】
以上説明したように、この発明の実施の形態２に係る電子制御装置１によれば、段差部６４には、凹部６１２と凸部５２との間に設けられたシール部材７の接着剤から脱泡する欠損部６４３が形成されているので、接着剤を斜面６１４に塗布する際に、接着剤の気泡が欠損部６４３に沿って脱泡される。その結果、コネクタ保持部材５と筐体６との間の封止をより向上させることができる。
【００２９】
実施の形態３．
図１１はこの発明の実施の形態３に係る電子制御装置における凹部を示す断面図である。踏面６４１には、シール部材７の接着剤が溜められる溜まり部６４４が形成されている。溜まり部６４４は、踏面６４１が水平面に対して傾斜することによって形成されている。踏面６４１は、斜面６１４に近づくにつれて下方に配置されるように水平面に対して傾斜している。その他の構成は、実施の形態１と同様である。
【００３０】
以上説明したように、この発明の実施の形態３に係る電子制御装置１によれば、踏面６４１には、シール部材７の接着剤が溜められる溜まり部６４４が形成されているので、踏面６４１における接着剤の保持力を向上させることができる。その結果、コネクタ保持部材５と筐体６との間の封止を向上させることができ、また、コネクタ保持部材５と筐体６との間の接着を向上させることができる。
【００３１】
また、溜まり部６４４は、踏面６４１が水平面に対して傾斜することによって形成されているので、段差部６４を成形するための金型を上型および下型のみで構成することができる。その結果、従来機種の金型構造を大きく変更することなく、コネクタ保持部材５と筐体６との間の封止を向上させることができる。
【００３２】
なお、上記実施の形態３では、踏面６４１が水平面に対して傾斜することによって溜まり部６４４が形成される構成について説明したが、金型の分離方向に影響を与えない範囲で、例えば、踏面６４１を曲面にして踏面６４１に接着剤を保持させる構造としてもよい。
【００３３】
実施の形態４．
図１２はこの発明の実施の形態４に係る電子制御装置におけるカバーとコネクタ保持部材との間の接合部分を示す平面図、図１３は図１２のカバーの凹部を示す斜視図、図１４は図１３の凹部を示す部分断面図である。蹴上面６４２は、凸部５２の側面に沿って配置されている。段差部６４は、凹部６１２の幅方向両端部に設けられ開口部６３に対向する端面６４５を含んでいる。その他の構成は、実施の形態１と同様である。
【００３４】
以上説明したように、この発明の実施の形態４に係る電子制御装置１によれば、蹴上面６４２は、凸部５２に沿って配置されているので、蹴上面６４２と凸部５２との間の距離を均一に保つことができ、段差部６４におけるどの位置においても、一定量以上の接着剤を保持することができる。その結果、接着剤の総塗布量を減らしつつ、コネクタ保持部材５と筐体６との間の封止を向上させ、また、コネクタ保持部材５と筐体６との間の接着を向上させることができる。
【００３５】
また、段差部６４は、凹部６１２の幅方向端部に設けられ開口部６３に対向する端面６４５を含んでいるので、凹部６１２における接着剤の保持力を向上させることができる。その結果、コネクタ保持部材５と筐体６との間の封止を向上させることができ、また、コネクタ保持部材５と筐体６との間の接着を向上させることができる。
【００３６】
実施の形態５．
図１５はこの発明の実施の形態５に係る電子制御装置におけるカバーの凹部を示す断面図である。蹴上面６４２は、鉛直線に対して傾斜して配置されている。踏面６４１と蹴上面６４２との間の角度は、９０度未満となっている。その他の構成は、実施の形態１と同様である。
【００３７】
以上説明したように、この発明の実施の形態５に係る電子制御装置によれば、踏面６４１と蹴上面６４２との間の角度は、９０度未満であるので、実施の形態１と比較して、凹部６１２に配置される踏面６４１の数を増やすことができる。その結果、コネクタ保持部材５と筐体６との間の封止を向上させることができ、また、コネクタ保持部材５と筐体６との間の接着を向上させることができる。
【００３８】
なお、上記実施の形態５では、踏面６４１と蹴上面６４２との間の角度は、９０度未満である構成について説明したが、蹴上面６４２を曲面にして、凹部６１２に配置される踏面６４１の数を増やす構成であってもよい。言い換えれば、蹴上面６４２の高さ方向の寸法を、実施の形態１における蹴上面６４２よりも短くすることによって、凹部６１２に配置される踏面６４１の数を増やす構成であってもよい。
【００３９】
実施の形態６．
図１６はこの発明の実施の形態６に係る電子制御装置におけるカバーの凹部を示す断面図、図１７は図１６のカバーの凹部の要部を示す拡大図である。踏面６４１には、凹凸６４６が形成されている。言い換えれば、踏面６４１が粗面となっている。その他の構成は、実施の形態１と同様である。
【００４０】
以上説明したように、この発明の実施の形態６に係る電子制御装置１によれば、踏面６４１には、凹凸６４６が形成されているので、シール部材７の接着剤の垂れを抑制することができる。その結果、凹部６１２における接着剤の保持力を向上させることができる。その結果、コネクタ保持部材５と筐体６との間の封止を向上させることができ、また、コネクタ保持部材５と筐体６との間の接着を向上させることができる。
【００４１】
なお、各上記実施の形態では、エンジンルーム内のエンジンに搭載される電子制御装置１について説明したが、エンジンルーム以外の場所に設置される電子制御装置１であってもよい。
【００４２】
また、各上記実施の形態では、凹部と凸部との間に塗布された接着剤の流出を抑制し接着剤を保持する段差部として、踏面、蹴上面および欠損部を有する構成について説明したが、これらに限定されるものではなく、同様の接着剤保持向上および脱泡構造を持つものであれば応用可能であることは言うまでもない。
【００４３】
また、この発明は、その発明の範囲内において、各実施の形態に係る発明を組み合わせたり、各実施の形態に係る発明を適宜、変形したり、一部を省略したりすることが可能である。
【符号の説明】
【００４４】
１  電子制御装置、２  電子回路基板、３  電子部品、４  コネクタ、５  コネクタ保持部材、６  筐体、７  シール部材、４１  端子、５１  保持部材本体、５２  凸部、５３  凸部、５４  傾斜面、５５  平面、５６  凹部、６１  カバー、６２  ベース、６３  開口部、６４  段差部、６１１  凹部、６１２  凹部、６１３  傾斜部、６１４  斜面、６２１  ベース本体、６２２  凸部、６４１  踏面、６４２  蹴上面、６４３  欠損部、６４４  溜まり部、６４５  端面、６４６  凹凸。
【図１】
2018074097.tif 000003
【図２】
2018074097.tif 000004
【図３】
2018074097.tif 000005
【図４】
2018074097.tif 000006
【図５】
2018074097.tif 000007
【図６】
2018074097.tif 000008
【図７】
2018074097.tif 000009
【図８】
2018074097.tif 000010
【図９】
2018074097.tif 000011
【図１０】
2018074097.tif 000012
【図１１】
2018074097.tif 000013
【図１２】
2018074097.tif 000014
【図１３】
2018074097.tif 000015
【図１４】
2018074097.tif 000016
【図１５】
2018074097.tif 000017
【図１６】
2018074097.tif 000018
【図１７】
2018074097.tif 000019
【手続補正書】
【提出日】平成30年2月5日(2018.2.5)
【手続補正１】
【補正対象書類名】明細書
【補正対象項目名】０００６
【補正方法】変更
【補正の内容】
【０００６】
この発明に係る電子制御装置は、電子回路基板と、電子回路基板に設けられたコネクタと、電子回路基板が収納され、コネクタが挿入される開口部が形成された筐体と、コネクタに設けられ、コネクタとともに開口部を塞ぐコネクタ保持部材と、コネクタ保持部材と筐体との間を封止するシール部材とを備え、筐体は、水平面に対して傾斜する傾斜面に沿った傾斜部を有し、傾斜部には、開口部に対向する凹部が形成され、コネクタ保持部材は、コネクタの周囲に設けられる保持部材本体と、保持部材本体に設けられ、凹部に嵌められる凸部とを有し、保持部材本体は、筐体の傾斜部に対向し凸部が設けられた傾斜面を有し、シール部材は、凹部と凸部とを接着する接着剤を有し、傾斜部は、凹部に設けられた接着剤が、傾斜部に沿った傾斜面に沿って垂れることを抑制する段差部を有している。
【手続補正２】
【補正対象書類名】特許請求の範囲
【補正対象項目名】全文
【補正方法】変更
【補正の内容】
【特許請求の範囲】
【請求項１】
電子回路基板と、
前記電子回路基板に設けられたコネクタと、
前記電子回路基板が収納され、前記コネクタが挿入される開口部が形成された筐体と、
前記コネクタに設けられ、前記コネクタとともに前記開口部を塞ぐコネクタ保持部材と、
前記コネクタ保持部材と前記筐体との間を封止するシール部材と
を備え、
前記筐体は、水平面に対して傾斜する傾斜面に沿った傾斜部を有し、
前記傾斜部には、前記開口部に対向する凹部が形成され、
前記コネクタ保持部材は、前記コネクタの周囲に設けられる保持部材本体と、前記保持部材本体に設けられ、前記凹部に嵌められる凸部とを有し、
前記保持部材本体は、前記筐体の前記傾斜部に対向し前記凸部が設けられた傾斜面を有し、
前記シール部材は、前記凹部と前記凸部とを接着する接着剤を有し、
前記傾斜部は、前記凹部に設けられた前記接着剤が、前記傾斜部に沿った前記傾斜面に沿って垂れることを抑制する段差部を有している電子制御装置。
【請求項２】
前記段差部には、前記凹部と前記凸部との間に設けられた前記接着剤から脱泡する欠損部が形成されている請求項１に記載の電子制御装置。
【請求項３】
前記段差部は、水平面に沿った踏面と、前記踏面に対して傾斜する蹴上面とを含んでいる請求項１または請求項２に記載の電子制御装置。
【請求項４】
前記踏面には、前記接着剤が溜められる溜まり部が形成されている請求項３に記載の電子制御装置。
【請求項５】
前記蹴上面は、前記凸部の側面に沿って配置されている請求項３または請求項４に記載の電子制御装置。
【請求項６】
前記段差部は、前記凹部の幅方向端部に設けられ前記開口部に対向する端面を含んでいる請求項３から請求項５までの何れか一項に記載の電子制御装置。
【請求項７】
前記踏面と前記蹴上面との間の角度は、９０度未満である請求項３から請求項６までの何れか一項に記載の電子制御装置。
【請求項８】
前記踏面には、凹凸が形成されている請求項３から請求項７までの何れか一項に記載の電子制御装置。